(57)【要約】【課題】中敷シートを紛失するおそれがなく、且つ、繰り返し使用しても破損しにくいコンパクト容器を提供することを目的とする。【解決手段】内容物が充填された中皿を収納することが可能な収納凹部２３が内側に形成された容器本体２と、容器本体２に取り付けられて容器本体を開閉する蓋体と、容器本体２の内側に配設されて中皿を覆う中敷シート４と、を備えるコンパクト容器において、容器本体２の内側に、軸部２５が突設されており、中敷シート４は、シート成形によって形成された部材であり、中敷シート４の外周部の一部分に、軸部２５が相対的に回転可能に嵌め込まれるＵ字状の軸受け部４０が形成されており、収納凹部２３の上に被せられた閉位置と収納凹部２３を開放させる開位置との間で軸部２５回りに回転可能である。【選択図】図３
2013179996.tif 000002
【特許請求の範囲】
【請求項１】
内容物が充填された中皿を収納することが可能な収納凹部が内側に形成された容器本体と、該容器本体に取り付けられて前記容器本体を開閉する蓋体と、前記容器本体の内側に配設されて前記中皿を覆う中敷シートと、を備えるコンパクト容器において、
前記容器本体の内側に、軸部が突設されており、
前記中敷シートは、シート成形によって形成された部材であり、該中敷シートの外周部の一部分に、前記軸部が相対的に回転可能に嵌め込まれるＵ字状の軸受け部が形成されており、前記収納凹部の上に被せられた閉位置と前記収納凹部を開放させる開位置との間で前記軸部回りに回転可能であることを特徴とするコンパクト容器。
【請求項２】
請求項１に記載のコンパクト容器において、
前記容器本体の内面に突起部が設けられており、
前記中敷シートは、該中敷シートの前記閉位置から前記開位置への回転動作において前記開位置に到達するときに前記突起部を乗り越える係合部を有していることを特徴とするコンパクト容器。
【請求項３】
請求項２に記載のコンパクト容器において、
前記係合部は、前記開位置において前記容器本体の前記内面に係止されることを特徴とするコンパクト容器。
【発明の詳細な説明】
【技術分野】
【０００１】
本発明は、コンパクト容器に関する。
【背景技術】
【０００２】
この種のコンパクト容器として、従来、中皿を収納することが可能な収納凹部が内側に形成された容器本体と、容器本体に取り付けられて容器本体を開閉する蓋体と、容器本体の内側に配置された中敷シートと、を備える構成が知られている。前記中皿は、例えば収納凹部に対して脱着可能なレフィル容器であり、前記中皿内には、例えば化粧料等の内容物が充填される。前記中敷シートは、中皿に充填された内容物の飛散を抑制するために中皿を覆うシート体であり、一般的には、前記中皿の上に単に載置されたフィルムシートからなる。
【０００３】
また、従来、例えば下記特許文献１に示されているような中敷シート部を有するコンパクト容器が提案されている。このコンパクト容器では、中敷シート部が連結部を介して有孔シート部に一体的に形成されている。前記有孔シート部は、容器本体の収納凹部の底面と中皿の下面との間に挟み込まれ、また、前記連結部は、収納凹部の側面と中皿の側面との間に配置される。そして、中敷シート部は、折り曲げ自在な曲げヒンジ部を介して連結部に接続されており、連結部に対して略直角に屈曲した状態で中皿の上に被せられる。このようなコンパクト容器では、前記曲げヒンジ部回りに中敷シート部を開閉させることが可能である。
【先行技術文献】
【特許文献】
【０００４】
【特許文献１】特開２００７−１６７３４１号公報
【発明の概要】
【発明が解決しようとする課題】
【０００５】
しかしながら、上記した前者の従来のコンパクト容器では、使用時に中敷シートを取り外すことになるので、中敷シートを紛失するおそれがあるという問題が存在する。
また、上記した後者の従来のコンパクト容器では、中敷シート部を開閉させる度に曲げヒンジ部が折り曲げられるので、中敷シート部の開閉操作を繰り返すうちに曲げ疲労によって曲げヒンジ部が破断するおそれがある。
【０００６】
本発明は、上記した従来の問題が考慮されたものであり、中敷シートを紛失するおそれがなく、且つ、繰り返し使用しても破損しにくいコンパクト容器を提供することを目的としている。
【課題を解決するための手段】
【０００７】
本発明に係るコンパクト容器は、内容物が充填された中皿を収納することが可能な収納凹部が内側に形成された容器本体と、該容器本体に取り付けられて前記容器本体を開閉する蓋体と、前記容器本体の内側に配設されて前記中皿を覆う中敷シートと、を備えるコンパクト容器において、前記容器本体の内側に、軸部が突設されており、前記中敷シートは、シート成形によって形成された部材であり、該中敷シートの外周部の一部分に、前記軸部が相対的に回転可能に嵌め込まれるＵ字状の軸受け部が形成されており、前記収納凹部の上に被せられた閉位置と前記収納凹部を開放させる開位置との間で前記軸部回りに回転可能であることを特徴としている。
【０００８】
このような特徴により、上記した構成のコンパクト容器では、収納凹部に中皿を収納させたときにその中皿が中敷シートで覆われるので、中皿に充填された内容物の飛散が抑制される。また、上記した構成のコンパクト容器を使用する際には、まず蓋体を開け、その後、中敷シートを軸部回りに閉位置から開位置へと回転させる。これにより、収納凹部に収納された中皿の上から中敷シートが離間し、その結果、前記中皿内に充填された内容物が露出され、中皿内の内容物の使用が可能になる。また、使用後は、まず、中敷シートを軸部回りに開位置から閉位置へと回転させる。これにより、中敷シートが前記中皿の上に載せられ、中皿が中敷シートで覆われる。その後、蓋体を閉じる。
なお、蓋体を閉じる操作によって、中敷シートが中皿を覆うように回転してもよい。
【０００９】
また、上記した構成のコンパクト容器では、中敷シートがシート成形によって形成された部材であるので、容易に量産することが可能である。また、中敷シートに設けられた軸受け部がＵ字状であるので、シート成形で容易に形成することが可能である。しかも、Ｕ字状の軸受け部によれば、軸部に対して容易に嵌め込むことが可能である。
【００１０】
また、本発明に係るコンパクト容器は、前記容器本体の内面に突起部が設けられており、前記中敷シートが、該中敷シートの前記閉位置から前記開位置への回転動作において前記開位置に到達するときに前記突起部を乗り越える係合部を有していることが好ましい。
【００１１】
これにより、中敷シートを前記開位置まで回転させる際、中敷シートの係合部が容器本体の内面の突起部を乗り越えるときにクリック感が生じる。
【００１２】
また、本発明に係るコンパクト容器は、前記係合部が、前記開位置において前記容器本体の前記内面に係止されることが好ましい。
【００１３】
これにより、中敷シートを前記開位置まで回転させると、中敷シートの係合部が容器本体の内面に係止され、中敷シートが開位置で保持される。
【発明の効果】
【００１４】
本発明に係るコンパクト容器によれば、使用時に中敷シートを取り外すことなく、中敷シートを軸部回りに回転させて開けるだけで、中皿内に充填された内容物を使用することが可能となるので、中敷シートを紛失するおそれがない。また、中敷シートにＵ字状の軸受け部が形成され、このＵ字状の軸受け部が軸部に相対的に回転可能に嵌め込まれることで、中敷シートが軸部回りに回転可能な構成となっているので、中敷シートを開閉させる動作を繰り返しても軸部や軸受け部は破損しにくい。したがって、繰り返し使用しても破損しにくい耐久性に優れたコンパクト容器を提供することができる。
【図面の簡単な説明】
【００１５】
【図１】本発明に係るコンパクト容器の実施形態を説明するためのコンパクト容器の平面図であり、蓋体が開けられた状態を示している。
【図２】本発明に係るコンパクト容器の実施形態を説明するためのコンパクト容器の断面図である。
【図３】本発明に係るコンパクト容器の実施形態を説明するための容器本体及び中敷シートの分解斜視図である。
【図４】図１に示すＡ−Ａ間の部分断面図である。
【図５】本発明に係るコンパクト容器の別の実施形態を説明するための部分断面図である。
【発明を実施するための形態】
【００１６】
以下、本発明に係るコンパクト容器の実施形態について、図面に基づいて説明する。
【００１７】
図１、２に示すように、本実施形態のコンパクト容器１は、例えば化粧料等の内容物を収納する携帯用の蓋付き容器であり、平面視矩形の扁平形状を成している。このコンパクト容器１には、容器本体２と、容器本体２に取り付けられた蓋体３と、容器本体２の内側に配設された中敷シート４と、蓋体３の容器本体２に対する閉状態を保持する係合手段５と、が備えられている。なお、図１に示すように蓋体３が閉じられた状態において、容器本体２に対する蓋体３側を「上」側とし、その反対側（蓋体３に対する容器本体２側）を「下」側とする。
【００１８】
（容器本体）
図１から３に示すように、容器本体２は、内部空間を有する扁平矩形状の部材であり、容器本体２の概略構成としては、平面視矩形状の底壁部２０と、底壁部２０の一方の対辺の縁部から立設された一対の第一側壁部２１Ａ，２１Ｂと、底壁部の他方の対辺（一方の対辺に直交する対辺）の縁部から立設された一対の第二側壁部２２Ａ，２２Ｂと、を備えている。
【００１９】
また、容器本体２の内側には、内容物が充填された中皿１０を収納することが可能な収納凹部２３と、後述する中敷シート４の回転動作時において中敷シート４の回転軸線Ｏ１側の端部の揺動を許容するための揺動空間２４と、が形成されている。
【００２０】
詳しく説明すると、収納凹部２３は、底壁部２０の上面に形成された凹所であり、中皿１０が嵌め込むことができるように中皿１０の形状に対応すると共に中皿１０の外形よりも若干大きい形状に形成されている。具体的には、収納凹部２３は、平面視略矩形状に形成されている。
【００２１】
また、揺動空間２４は、一対の第一側壁部２１Ａ，２１Ｂ間に亘って一方の第二側壁部２２Ａに沿って形成された空間であり、収納凹部２３に隣接して配設されている。この揺動空間２４の対向する内面、つまり、一対の第一側壁部２１Ａ，２１Ｂの内面には、ボス状の軸部２５，２５がそれぞれ突設されている。軸部２５は円柱形状の突起部であり、両側の軸部２５，２５は上記した回転軸線Ｏ１を中心軸線にして同一線上に延設されている。また、揺動空間２４の底面２４ａは、収納凹部２３の底面よりも上側であってそれ以外の容器本体２の内側の底面よりも下側に位置している。この揺動空間２４の底面２４ａの長手方向の中央部分には、断面視半円形状の突起部２６が形成されている。この突起部２６は、回転軸線Ｏ１に沿って延在する凸条部である。
【００２２】
ところで、上記した第一側壁部２１Ａ，２１Ｂのうちの、一方の第一側壁部２１Ａの中央部分には、後述する蓋体３の軸筒部３１が嵌め込まれる凹部２７が形成されている。この凹部２７の両側の端面には、軸受け孔２９が形成されている。また、他方の第一側壁部２１Ｂの中央部分には、後述する係合手段５が配設される凹部２８が形成されている。また、第二側壁部２２Ａ，２２Ｂは、第一側壁部２１Ａ，２１Ｂよりも薄い壁部である。
【００２３】
（蓋体）
蓋体３は、容器本体２を開閉するための蓋体であり、平面視矩形状に形成されている。図１、２に示すように、蓋体３の上面は、上方に向かって曲線状に膨出している。また、蓋体３の下面のうち、容器本体２の内側空間に対向する部分は窪んでおり、後述する中敷シート４との間に隙間が開けられている。また、蓋体３の下面には、鏡体３０が接合されている。蓋体３のうち、上記した第一側壁部２１Ａに対応する縁部の中央部分には、上記した容器本体２の凹部２７に嵌め込まれる軸筒部３１が下向きに突設されている。この軸筒部３１は、平面視において中敷シート４の回転軸線Ｏ１に直交する方向に延在しており、この軸筒部３１の両端面にはそれぞれ芯孔３３が形成されており、それらの芯孔３３には芯棒３２の一端部がそれぞれ挿通されている。これらの芯棒３２の他端部は、上記した第一側壁部２１Ａの凹部２７に形成された軸受け孔２９にそれぞれ挿通されている。これにより、蓋体３は、平面視において中敷シート４の回転軸線Ｏ１に直交する回転軸線Ｏ２回りに回転可能となる。
【００２４】
（中敷シート）
中敷シート４は、図１に示すように、中皿１０を覆うためのシート体であり、シート成形（サーモフォーミング成形）によって形成された成形部材である。図２、３に示すように、この中敷シート４の外周部のうち、回転軸線Ｏ１側の両側の隅部には、上記した軸部２５に嵌合された軸受け部４０，４０がそれぞれ形成されている。軸受け部４０は、中敷シート４の上面に対して凹んでいると共に回転軸線Ｏ１に沿って延在する溝状部であり、断面視Ｕ字状に形成されている。図２、４に示すように、両側の軸受け部４０，４０はそれぞれ、上記した軸部２５，２５に対して相対的に回転可能に嵌め込まれており、これにより、中敷シート４は、上記した収納凹部２３の上に被せられて中皿１０を覆う閉位置と収納凹部２３を開放させて中皿１０を露出させる開位置との間で、軸部２５，２５回りに回転可能となる。
【００２５】
また、図４に示すように、中敷シート４は、上記した両側の軸受け部４０，４０の間の縁部、つまり、中敷シート４の回転軸線Ｏ１側の縁部（係合部４１）が、中敷シート４の閉位置から開位置への回転動作において開位置に到達するときに上記した突起部２６を乗り越えるように構成されている。また、中敷シート４は、上記した係合部４１が開位置において揺動空間２４の底面２４ａに係止されるように構成されている。
【００２６】
また、図２、３に示すように、中敷シート４の両側の側縁部（上記した係合部４１に直交する方向に延在する縁部）には、凸形状の摘み部４２Ａ，４２Ｂがそれぞれ形成されている。一方の摘み部４２Ａは、平面視において上記した容器本体２の一方の凹部２７に対して隔壁部２７ａを介して隣り合う位置に配置され、他方の摘み部４２Ｂは、上記した容器本体２の他方の凹部２８の上方に配置されている。
【００２７】
（係合手段５）
係合手段５は、上記した容器本体２の凹部２８の内面に突設された係合凸部５０と、蓋体３のうちの上記した第一側壁部２１Ｂに対応する縁部の中央部分に突設された爪部５２と、上記した容器本体２の凹部２８内に装着された操作片５１と、を備えている。爪部５２は係合凸部５０に係止され、それにより蓋体３が閉状態で保持されるように構成されている。また、操作片５１が押し込み操作されることで、係合凸部５０に対する爪部５２の係止が解除されるように構成されている。
【００２８】
次に、上記した構成からなるコンパクト容器１の使用方法について説明する。
【００２９】
まず、上記したコンパクト容器１は、図２に示すように蓋体３が閉じられた状態で、保管したり携帯したりする。このとき、収納凹部２３に収納された中皿１０の上に中敷シート４が配置され、中皿１０の開口部が中敷シート４で覆われているので、中皿１０に充填された内容物が飛散することが抑制される。また、このとき、係合手段５によって蓋体３の容器本体２に対する閉状態が保持されているので、蓋体３が不用意に開くことが防止されている。
【００３０】
一方、上記したコンパクト容器１を使用する際には、まず、係合手段５の操作片５１を押して係合凸部５０に対する爪部５２の係止を解除した上で、蓋体３を芯棒３２回りに回転させて蓋体３を開ける。その後、少なくとも一方の摘み部４２Ａ，４２Ｂを摘んで中敷シート４を軸部２５，２５回りに閉位置から開位置へと回転させる。これにより、上記した中皿１０の上から中敷シート４が離間する。その結果、中皿１０内に充填された内容物が露出され、中皿１０内の内容物の使用が可能になる。
【００３１】
また、上述したように中敷シート４を開位置まで回転させる際、中敷シート４の係合部４１が上記した突起部２６を乗り越えるときにクリック感が生じる。また、中敷シート４を開位置まで回転させると、中敷シート４の係合部４１が容器本体２内の揺動空間２４の底面２４ａに係止されるので、中敷シート４が開位置で保持される。
【００３２】
次に、使用後には、まず、中敷シート４を軸部２５，２５回りに開位置から閉位置へと回転させる。これにより、中敷シート４が中皿１０の上に載せられ、中皿１０が中敷シート４で覆われる。その後、蓋体３を芯棒３２回りに回転させて蓋体３を閉じる。このとき、爪部５２が係合凸部５０を乗り越えて当該係合凸部５０に係止される。これにより、蓋体３の容器本体２に対する閉状態が保持される。
【００３３】
上記したコンパクト容器１によれば、使用時に中敷シート４を取り外すことなく、中敷シート４を軸部２５，２５回りに回転させて開けるだけで、中皿１０内の内容物を使用することが可能となるので、中敷シート４を紛失するおそれがない。
【００３４】
また、中敷シート４にＵ字状の軸受け部４０，４０が形成され、これらのＵ字状の軸受け部４０，４０がボス状の軸部２５，２５に相対的に回転可能に嵌め込まれることで、中敷シート４が軸部２５，２５回りに回転可能な構成となっているので、中敷シート４を開閉させる動作を繰り返しても軸部２５，２５や軸受け部４０，４０は破損しにくい。したがって、繰り返し使用しても破損しにくい耐久性に優れたコンパクト容器１を提供することができる。
【００３５】
また、上記したコンパクト容器１では、中敷シート４がシート成形によって形成された部材であるので、容易に量産することが可能である。また、中敷シート４に設けられた軸受け部４０がＵ字状であるので、シート成形で容易に形成することが可能である。しかも、Ｕ字状の軸受け部４０によれば、ボス状の軸部２５に対して容易に嵌め込むことが可能である。これにより、製造が容易となり、コストアップを抑えることができる。
また、中敷シート４をシート成形で形成するため、当該中敷シート４に収納凹部や凹凸模様などを容易に形成することができる。
【００３６】
特に、上記したコンパクト容器１では、中敷シート４を開位置まで回転させる際、中敷シート４の係合部４１が容器本体２の突起部２６を乗り越えるときにクリック感が生じるので、操作性を向上させることができる。
【００３７】
また、上記したコンパクト容器１では、中敷シート４を開位置まで回転させると、中敷シート４の係合部４１が容器本体２の揺動空間２４の底面２４ａに係止され、中敷シート４が開位置で保持されるので、操作性をより向上させることができる。
【００３８】
以上、本発明に係るコンパクト容器の実施形態について説明したが、本発明は上記した実施の形態に限定されるものではなく、その趣旨を逸脱しない範囲で適宜変更可能である。例えば、図５に示すように、容器本体２に軸部２５を成形する金型の喰い切り孔１００が形成されていてもよい。この喰い切り孔１００は、容器本体２の底壁部２０の下面から揺動空間２４の底面２４ａにかけて貫通した貫通孔であり、軸部２５の直下の位置、すなわち揺動空間２４の長手方向の端部に配設される。上記した喰い切り孔１００を有する構成にすれば、前記軸部２５の突出量を大きくすることができるので、軸受け部４０との間で所望の係合代を確保することが容易となる。
【００３９】
また、上記した実施形態では、中敷シート４の回転軸線Ｏ１と蓋体３の回転軸線Ｏ２とが平面視において直交するように構成されているが、本発明は、中敷シート４の回転軸線Ｏ１と蓋体３の回転軸線Ｏ２とが平面視において平行するように構成されていてもよい。
【００４０】
また、上記した実施形態では、中敷シート４の両側の隅部に軸受け部４０，４０がそれぞれ形成されているが、本発明は、軸受け部が中敷シート４の幅方向全体に亘って延設されていてもよい。
【００４１】
また、上記した実施形態では、容器本体２に突起部２６が設けられ、中敷シート４を開位置まで回転させる際に中敷シート４の係合部４１（縁部）が突起部２６を乗り越える構成となっているが、本発明は、突起部２６が無い構成にすることも可能である。また、上記した実施形態では、中敷シート４が開けられたときに中敷シート４の係合部４１（縁部）が容器本体２の内面（揺動空間２４の底面２４ａ）に係止される構成になっているが、本発明は、中敷シート４の係合部４１が容器本体２の内面に係止されない構成にすることも可能である。例えば、本発明は、中敷シート４が開けられたときに中敷シート４の上面が第二側壁部２２Ａの上端縁部に当接して係止される構成であってもよい。
【００４２】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４３】
１  コンパクト容器
２  容器本体
３  蓋体
４  中敷シート
１０  中皿
２３  収納凹部
２５  軸部
２６  突起部
４０  軸受け部
４１  係合部
【図１】
2013179996.tif 000003
【図２】
2013179996.tif 000004
【図３】
2013179996.tif 000005
【図４】
2013179996.tif 000006
【図５】
2013179996.tif 000007